(57)【特許請求の範囲】
【請求項１】
選局操作が行われる操作部と、
仮想チャンネルと物理チャンネルとを対応させたチャンネルマップを記憶する記憶部と、
受信中の物理チャンネルに多重化されている仮想チャンネル情報を取得する制御部とを備えたデジタル放送受信装置において、
前記操作部が選局操作されると、
前記制御部は、受信した物理チャンネルの仮想チャンネル情報と前記チャンネルマップとを比較し、前記チャンネルマップに未登録の仮想チャンネルがあれば、該仮想チャンネルを前記チャンネルマップに追加登録し、前記チャンネルマップには登録されているが受信した仮想チャンネル情報には含まれていない仮想チャンネルがあっても前記チャンネルマップから該仮想チャンネルを削除しないように制御することを特徴とするデジタル放送受信装置。
【請求項２】
前記制御部は、受信した物理チャンネルの仮想チャンネル情報と前記チャンネルマップとを比較する比較部と、前記チャンネルマップに未登録の仮想チャンネルがあれば、該仮想チャンネルを前記チャンネルマップに追加登録し、前記チャンネルマップには登録されているが受信した仮想チャンネル情報には含まれていない仮想チャンネルがあっても前記チャンネルマップから該仮想チャンネルを削除しないように制御する登録制御部とを備えたことを特徴とする請求項１記載のデジタル放送受信装置。
【請求項３】
前記操作部は選局操作に用いられるチャンネルアップ／ダウンキーを有し、該チャンネルアップ／ダウンキーの指示は前記チャンネルマップに基づいていることを特徴とする請求項１又は２記載のデジタル放送受信装置。
【請求項４】
前記仮想チャンネル情報は、ＡＴＳＣ（Advanced Television System Committee）放送のＶＣＴ（Virtual Channel Table）に含まれていることを特徴とする請求項１〜３の何れかに記載のデジタル放送受信装置。
【請求項５】
前記制御部はＭＰＵであり、前記記憶部はＥＥＰＲＯＭであり、受信した映像を出力する表示部と、受信した音声を出力するスピーカとを備えたことを特徴とする請求項１〜４の何れかに記載のデジタル放送受信装置。
【発明の詳細な説明】
【技術分野】
【０００１】
本発明は、液晶テレビなどのデジタル放送受信装置に関し、特にＡＴＳＣ放送を受信するデジタル放送受信装置に有効に利用することができる。
【背景技術】
【０００２】
現在、地上波テレビ放送がアナログ放送からデジタル放送に移行する過渡期にあり、デジタル放送を受信できるデジタル放送受信装置が急速に普及している。
【０００３】
デジタル放送では、放送局から、１つの周波数帯域において、複数の番組が配信される。これは、複数の番組の映像や音声をデジタル圧縮技術により圧縮符号化した後、時分割多重化し、その信号を所定周波数帯域の高周波電波に変調し、その信号を放送信号として配信することで行われる。また、デジタル放送では、放送番組やその放送チャンネル等の電子番組情報を、所定時間毎に番組の映像や音声と共に時分割多重化して配信している。
【０００４】
デジタル放送では、複数の番組の放送信号を多重化した所定周波数帯域の放送信号を物理チャンネルと呼び、その周波数帯域に多重化される個々の番組の放送信号を仮想チャンネルと呼んでいる。
【０００５】
そして、デジタル放送受信装置は、ユーザがリモコン等により視聴したい番組のチャンネルを選択すると、その物理チャンネルに対応する周波数帯域の高周波電波を受信し、その受信信号を復調することにより、圧縮符号化された複数の番組の映像や音声、電子番組情報等の信号が時分割多重化された状態の信号を得ることができる。この信号はトランスポートストリーム（ＴＳ）信号と呼ばれる。
【０００６】
続いて、デジタル放送受信装置はこのＴＳ信号から仮想チャンネルに対応するデジタル放送の映像信号や音声信号を分離抽出し、その映像信号や音声信号を圧縮符号化される前の状態に復号して表示部へ出力する。また、デジタル放送受信装置はＴＳ信号から電子番組情報も抽出する。
【０００７】
北米においては、デジタル放送の一種であるＡＴＳＣ（Advanced Television System Committee）と呼ばれる放送が配信されている。ＡＴＳＣ放送は、各々の物理チャンネルにおいて、その物理チャンネルで放送中の複数の番組の映像や音声と共に、ＰＳＩＰ（Program and System Information Protocol）と呼ばれるテレビ放送に関する様々なデータを含んだ情報が多重化する方法により配信されている。ＰＳＩＰは、さらに、ＶＣＴ（Virtual Channel Table）及びＥＩＴ（Event Information Table）を含んでいる。
【０００８】
ＶＣＴは、ＡＴＳＣの規格ａ−６５ｃに規定されており、図６に示すような情報が含まれている。ＶＣＴは、現在放送中の番組に関して、番組を放送しているチャンネル番号の情報と、仮想チャンネル（major num.及びminor num.）と１対１に関連づけされるsource idとを含んでいる。ＥＩＴは、現在放送中及び今後放送予定の番組に関して、番組名、番組の放送開始及び終了時間等の番組情報と、source idとを含んでいる。
【０００９】
このように、ＥＩＴは番組名や番組の放送開始及び終了時間等の番組情報とsource idとを含んでいるが、番組が放送されるチャンネルの情報を含んでおらず、一方、ＶＣＴは番組が放送されているチャンネルの情報とそのsource idを含んでいるが、番組名や番組の放送開始及び終了時間等の番組情報を含んでいない。このため、番組の番組名や放送時間とその放送チャンネルとの対応付けは、ＶＣＴとＥＩＴの双方に含まれるsource idを基に行っている。
【００１０】
ところで、デジタル放送受信装置の多くは、その記憶部に選局可能なチャンネルの一覧である、いわゆるチャンネルマップを保存している。このチャンネルマップにどのような情報を含ませるか、また、チャンネルマップをいつどのようにして作成するかは、メーカによって又は個々の装置によって異なっており、例えば、次の特許文献１〜５のような技術が提案されている。
【００１１】
特許文献１には、デジタル放送を受信する受信手段と、上記受信手段で受信する上記デジタル放送のチャンネルを切り替える選局手段と、上記選局手段でチャンネルを切り替えながら、チャンネル毎に番組が放送されているかどうか検出し、番組が放送されているチャンネルをチャンネルマップに登録するオートメモ手段と、を備え、上記デジタル放送は、そのチャンネルについて多重化した仮想チャンネルの属性を示すチャンネル情報を送信しており、上記オートメモ手段は、番組が放送されているチャンネルについて上記チャンネル情報を取得し、このチャンネル情報に別のチャンネルが設定されていれば、この別のチャンネルについては番組が放送されているかどうかの検出を行うことなく、上記チャンネルマップに登録する受信装置が開示されている。
【００１２】
特許文献２は、複数のテレビ番組の映像情報を、これらのテレビ番組を放送するチャンネルとこれらのチャンネルに固有に付与されるＳｏｕｒｃｅＩＤとの対応関係を示すＶＣＴ情報、及び前記テレビ番組毎の番組情報と前記ＳｏｕｒｃｅＩＤとの対応関係を示すＥＩＴ情報と共に配信するＡＴＳＣ放送信号を受信する受信手段と、前記受信手段で受信したＡＴＳＣ放送信号から、前記テレビ番組の映像信号を再生してその映像信号を本装置に接続されるテレビモニタに出力すると共に、前記ＶＣＴ情報及びＥＩＴ情報を抽出するデコーダと、前記抽出されたＶＣＴ情報及びＥＩＴ情報に基づいて、前記各チャンネルが放送中であるか否かの情報を格納したチャンネルマップを作成するチャンネルマップ作成手段と、ユーザが所望するチャンネルを、チャンネルアップ／ダウンキーを用いて選局操作する操作手段と、前記ユーザによるチャンネルアップ／ダウンキーの操作に基づいて、チャンネルの選局動作を制御する制御手段とを備えたデジタル／アナログ放送受像機において、テレビ放送の受信中に、前記ＶＣＴ情報及びＥＩＴ情報を基にチャンネルの増減予定を解析し、この解析結果であるチャンネルの増減予定情報を記憶するチャンネル増減予定記憶手段と、前記チャンネル増減予定記憶手段により記録されたチャンネル増減予定情報に基づいて、チャンネルの増減予定時刻に前記チャンネルマップの更新を行うチャンネルマップ更新手段とをさらに備え、前記制御手段は、前記操作手段によるチャンネルアップ／ダウンキーの操作を検知すると、予め定められた所定の順序に従って、その時点でチャンネルマップに登録されているチャンネルを選局し、前記選局されたチャンネルが放送されていない場合には、その旨を前記テレビモニタに出力すると共に、更新後のチャンネルマップを更新して、チャンネルマップに登録されている次のチャンネルを選局するものである。
【００１３】
特許文献３は、装置本体に選局その他の指令を入力するための入力手段と、選局指令に応じて放送局から発信される符号化されたデジタル／アナログ放送信号を受信する受信手段と、前記受信手段により受信したデジタル／アナログ放送信号を復号して本装置に接続された映像を表示する表示手段に出力するデジタル／アナログ復号手段と、選局動作時に使用される、チャンネル番号及び仮想チャンネル番号を含む放送チャンネル番号を含む放送チャンネルマップ情報を記憶する記憶手段と、前記表示手段に所定のオンスクリーンディスプレイ表示をさせるＯＳＤ出力手段と、上記装置の各手段を制御する制御手段とを備えたデジタル放送信号受信装置において、前記制御手段は、前記入力手段からデジタルチャンネル番号が入力されたとき、前記記憶手段に記憶されているチャンネルマップ内に当該番号が有るか否かを検索する機能と、前記検索の結果、当該番号が存在するときは該当の放送を受信し、存在しないときは信号なしを前記表示手段にＯＳＤ表示する信号を出力する機能と、前記検索の結果、当該番号が存在しないときで、ユーザによりスキャン指令が入力されたとき、前記受信手段及び復号手段により前記放送信号周波数帯の全域をスキャンする機能と、前記スキャンの結果、前記デジタルチャンネル番号の信号が存在したときは、その放送を受信し、存在しないときはその旨を報知する機能と、前記スキャン機能の有効／無効を切り換える機能とを備えたものである。
【００１４】
特許文献４には、テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けてチャンネルマップとして記憶する記憶手段とを備えたテレビジョン放送受信装置において、前記受信手段により放送チャンネルを追加サーチしたときに、受信できない放送チャンネルに対応する前記操作入力手段のチャンネル選局キーが識別可能なように前記チャンネルマップを表示すると共に、前記追加サーチにより新たに受信された放送チャンネルマップの追加チャンネルリストを表示する表示手段と、前記チャンネルマップ上で識別可能に表示されたチャンネル選局キーのいずれかに割り当てる放送チャンネルを前記追加チャンネルリストの中から選択する放送チャンネル選択手段と、を備えていることを特徴としたテレビジョン放送受信装置が開示されている。
【００１５】
特許文献５には、テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けて第１のチャンネルマップとして記憶する記憶手段とを備えたテレビジョン放送受信装置において、前記受信手段による放送チャンネルの追加サーチ時に、前記第１のチャンネルマップで受信できない放送チャンネルに対応する前記操作入力手段のチャンネル選局キーを特定する手段と、前記追加サーチにより新たに受信される放送チャンネルを割り当てるための第２のチャンネルマップを表示する表示手段とを備え、該表示手段は、前記特定したチャンネル選局キーを、前記追加サーチにより新たに受信される放送チャンネルを割り当て可能なチャンネル選局キーとして前記第２のチャンネルマップ上で識別可能に表示することを特徴としたテレビジョン放送受信装置が開示されている。
【特許文献１】特開２００２−２４７４５９号公報
【特許文献２】特開２００４−３６４２１６号公報
【特許文献３】特開２００２−３４４８２９号公報
【特許文献４】特開２００７−６７６４８号公報
【特許文献５】特開２００７−６００５７号公報
【発明の開示】
【発明が解決しようとする課題】
【００１６】
ところで、従来のデジタル放送受信装置において、チャンネルの選局の際にチャンネルアップ／ダウンキーを利用して１チャンネル毎に選局しながら、視聴したいチャンネルの選択が行えるものが知られている。これにはチャンネルマップが利用されており、チャンネルアップ／ダウンキーが押下される度にチャンネルマップに登録されているチャンネル番号順に選局される。したがって、チャンネルマップに登録されていないチャンネルはチャンネルアップ／ダウンキーで選局されないので、チャンネルマップに登録されていない新たなチャンネルがある場合は、チャンネル番号を直接入力しなければならず、使い勝手が悪い。
【００１７】
チャンネルマップへ受信可能な新たなチャンネルを登録するには、自動で全ての周波数帯域を順番にスキャンして受信可能なチャンネルを探すオートスキャンを実行させるか、上記特許文献１〜５のような何らかの操作を必要とする。つまり、チャンネルマップへの登録を開始するためには選局操作以外のユーザの操作が必要である。
【００１８】
本発明は、通常の選局操作を行っているだけで、チャンネルマップに未登録の新たなチャンネルがあれば自動的に登録され、チャンネルアップ／ダウンキーで新たなチャンネルも選局可能になる使い勝手の良いデジタル放送受信装置を提供することを目的とする。
【課題を解決するための手段】
【００１９】
上記目的を達成するために本発明は、選局操作が行われる操作部と、仮想チャンネルと物理チャンネルとを対応させたチャンネルマップを記憶する記憶部と、受信中の物理チャンネルに多重化されている仮想チャンネル情報を取得する制御部とを備えたデジタル放送受信装置において、前記操作部が選局操作されると、前記制御部は、受信した物理チャンネルの仮想チャンネル情報と前記チャンネルマップとを比較し、前記チャンネルマップに未登録の仮想チャンネルがあれば、該仮想チャンネルを前記チャンネルマップに登録するように制御することを特徴とする。
【００２０】
この構成によれば、通常の選局操作を行っているだけで、チャンネルマップに未登録の新たなチャンネルがあれば自動的に登録される。
【００２１】
上記のデジタル放送受信装置において、具体的に前記制御部は、受信した物理チャンネルの仮想チャンネル情報と前記チャンネルマップとを比較する比較部と、前記チャンネルマップに未登録の仮想チャンネルがあれば、該仮想チャンネルを前記チャンネルマップに登録するように制御する登録制御部とを備えている。
【００２２】
また上記のデジタル放送受信装置において、前記操作部は選局操作に用いられるチャンネルアップ／ダウンキーを有し、該チャンネルアップ／ダウンキーの指示は前記チャンネルマップに基づいている。
【００２３】
したがって、チャンネルマップに新たに登録されたチャンネルもチャンネルアップ／ダウンキーで選局可能になる。
【００２４】
また上記のデジタル放送受信装置において、前記仮想チャンネル情報は、ＡＴＳＣ放送であればＶＣＴを利用することができる。
【００２５】
また上記のデジタル放送受信装置において、前記制御部は、受信した物理チャンネルの仮想チャンネル情報と前記チャンネルマップとを比較し、前記チャンネルマップに登録されているが受信した仮想チャンネル情報にはない仮想チャンネルがあれば、該仮想チャンネルを前記チャンネルマップから削除するように制御してもよい。
【００２６】
この構成によれば、現在放送中でない仮想チャンネルがチャンネルマップから削除されるので、チャンネルアップ／ダウンキーで選局した場合に、現在放送されていないチャンネルを選局することがない。
【００２７】
また上記のデジタル放送受信装置において、具体的には前記制御部はＭＰＵであり、前記記憶部はＥＥＰＲＯＭであり、受信した映像を出力する表示部と、受信した音声を出力するスピーカとを備えていれば、テレビ受像機となる。
【発明の効果】
【００２８】
本発明によると、通常の選局操作を行っているだけで、チャンネルマップに未登録の新たなチャンネルがあれば自動的に登録されるので、チャンネルアップ／ダウンキーで新たなチャンネルも選局可能になる。したがって、ユーザはチャンネルマップへ登録するための特別な登録操作をする必要がなく、またチャンネルマップへの登録を意識することもないので、非常に使い勝手が良い。
【発明を実施するための最良の形態】
【００２９】
以下では、ＡＴＳＣ規格のデジタル放送受信装置を例に説明する。図１は、デジタル放送受信装置１０の構成を示すブロック図である。デジタル放送受信装置１０は、操作部１１と、チューナ１２と、ＡＴＳＣインターフェース（以下ＡＴＳＣ  ＩＦと記す）１３と、８−ＶＳＢデコーダ１４と、ＩＣ１５と、ＲＡＭ１６と、ＲＯＭ１７と、ＥＥＰＲＯＭ１８と、Ｄ／Ａ変換部１９と、音声信号出力部２０と、スピーカ２１と、ＮＴＳＣエンコーダ２２と、映像信号出力部２３と、表示部２４と、ＭＰＵ２５とを備えている。
【００３０】
操作部１１は、ユーザが選局操作等の各種操作を行うための複数のキーから構成されている。そのキーの１つにチャンネルアップ／ダウンキー１１ａがあり、チャンネルアップキーは１チャンネル毎に番号の昇順に選局するキーであり、チャンネルダウンキーは１チャンネル毎に番号の降順に選局するキーである。チャンネルアップ／ダウンキー１１ａの選局指示は後述するチャンネルマップに登録されている仮想チャンネルに基づいている。なお、操作部１１は赤外線などで遠隔操作可能なリモコンとしてもよい。
【００３１】
チューナ１２は、デジタル放送波を受信するアンテナ３０に接続されており、アンテナ３０で受信したデジタル放送波から所望のチャンネルを選局するものである。ＡＴＳＣ  ＩＦ１３は、チューナ１２からデジタル出力波を取り出すものである。８−ＶＳＢデコーダ１４は、ＡＴＳＣ  ＩＦ１３から受け取ったデジタル出力波をデータに復調するものである。
【００３２】
ＩＣ１５は、ＴＳデマルチプレクサ１５ａとＭＰＥＧ−２デコーダ１５ｂとを有している。ＴＳデマルチプレクサ１５ａは、８−ＶＳＢデコーダ１４で復調されたデータを種別毎（ＶＣＴ、ＥＩＴ、映像データ、音声データなど）に分離するものである。ＭＰＥＧ−２デコーダ１５ｂは、ＴＳデマルチプレクサ１５ａで分離されたデータを圧縮前のデータに復号化するものである。
【００３３】
ＲＡＭ１６は、ＴＳデマルチプレクサ１５ａで分離されたデータを一時的に記憶しておくものである。ＲＯＭ１７は、デジタル放送受信装置１０の動作に必要な情報を記憶しているものである。ＥＥＰＲＯＭ１８は、記憶部の１つであり、チャンネルマップを記憶しておくものである。このチャンネルマップは、少なくとも仮想チャンネルと物理チャンネルとを対応させた一覧であり、オートスキャンの実行や後述するAuto Add機能などによって作成される。
【００３４】
Ｄ／Ａ変換部１９は、ＩＣ１５から出力された音声データをアナログ化するものである。音声信号出力部２０は、Ｄ／Ａ変換部１９によりアナログ化された音声データを出力するものである。スピーカ２１は音声信号出力部２０からの音声を放音するものである。
【００３５】
ＮＴＳＣエンコーダ２２は、ＭＰＥＧ−２デコーダ１５ｂで復号化された映像データをＮＴＳＣ復号テレビジョン信号に復号化するものである。映像信号出力部２３は、ＮＴＳＣエンコーダ２２で復号化されたＮＴＳＣ復号テレビジョン信号を出力するものである。表示部２４は、映像信号出力部２３からの映像を表示するものであり、液晶パネルなどからなる。
【００３６】
ＭＰＵ２５はデジタル放送受信装置１０の動作を制御するものであり、比較部２５ａや登録制御部２５ｂなどを備えている。比較部２５ａは、受信した物理チャンネルの仮想チャンネル情報（ここではＶＣＴに含まれる仮想チャンネル番号）とチャンネルマップとを比較するものである。登録制御部２５ｂは、チャンネルマップの登録内容の書き換えを制御するものであり、例えば未登録の仮想チャンネルをチャンネルマップに登録するように制御する。
【００３７】
次に、デジタル放送受信装置１０がデジタル放送を受信するときの動作について説明する。まず、アンテナ３０でデジタル放送波を受信する。操作部１１が選局操作されると、チューナ１２は受信するトランスポンダの切り換えを行う。受信したデジタル放送波はＡＴＳＣ  ＩＦ１３を介して８−ＶＳＢデコーダ１４によりデータに復調される。
【００３８】
もともとデジタル放送波は送信側からＴＳパケットの形で伝送されてくる。ＴＳパケットは映像データ、音声データ、ＶＣＴ等を含む制御データからなり、この制御データをＩＣ１５のＴＳデマルチプレクサ１５ａにより分離してＲＡＭ１６に記憶する。そして、ＲＡＭ１６から読み出したデータをＭＰＥＧ−２デコーダにより圧縮前のデータに復号化する。次に、音声データをＤ／Ａ変換部１９によりアナログ化し、音声信号出力部２０を介してスピーカ２１から音声を放音する。また映像データをＮＴＳＣエンコーダ２２によりＮＴＳＣ復号テレビジョン信号に復号化し、映像信号出力部２３を介して表示部２４に映像を表示する。
【００３９】
そして、ユーザによる選局操作は、操作部１１のテンキー（不図示）で直接仮想チャンネルを入力することにより行われたり、チャンネルアップ／ダウンキー１１ａを操作することにより行われる。ここで、仮想チャンネルはメインチャンネルとサブチャンネルとからなる。図６に示されるmajor num.がメインチャンネル、minor num.がサブチャンネルに対応している。なお、図６でminor num.が「０」の仮想チャンネルはアナログ放送であることを示す。以下、メインチャンネルとサブチャンネルとの番号間は「−」で区切るものとし、例えばメインチャンネルが１２でサブチャンネルが３４の場合は、「１２−３４」と記すものとする。
【００４０】
次に、通常の選局操作を行っているだけで、チャンネルマップに未登録の新たな仮想チャンネルがあれば自動的に登録されるAuto Add（自動付加）機能について説明する。図２は、Auto Add機能に関するデジタル放送受信装置１０の動作を示すフローチャートである。
【００４１】
まず、選局操作などにより選局され、ステップＳ１０においてＭＰＵ２５がある物理チャンネルのＶＣＴを取得した場合、ステップＳ１１へ進んで比較部２５ａが、ＶＣＴに含まれる仮想チャンネル番号とチャンネルマップの仮想チャンネル番号とを比較する。そして、ステップＳ１２へ進んでチャンネルマップに未登録の仮想チャンネルがＶＣＴにあれば、ステップＳ１３へ進んで登録制御部２５ｂが、その仮想チャンネルと対応する物理チャンネルとをチャンネルマップに追加登録する。一方、ステップＳ１２において未登録の仮想チャンネルがなければ、ステップＳ１０に戻る。
【００４２】
例えば、あるチャンネルを受信中に、選局操作により物理チャンネル「４」が選局されると、物理チャンネル「４」のＶＣＴを受信する。このとき、図３に示すように、現在のチャンネルマップ４０には、物理チャンネル「４」に対応する仮想チャンネルは「５５−１」のみが登録されているものとする。
【００４３】
そして、このＶＣＴに含まれている仮想チャンネル番号を抽出し、抽出した仮想チャンネル番号が、例えば、「５５−１」、「５５−２」、「５５−３」であったとする。そして、これら３つの仮想チャンネル番号と図３のチャンネルマップ４０の物理チャンネル「４」に対応する仮想チャンネルとを比較する。比較の結果、ＶＣＴから抽出された「５５−１」は既にチャンネルマップ４０に登録されており、ＶＣＴから抽出された「５５−２」及び「５５−３」はチャンネルマップ４０に未登録であることがわかる。そこで、チャンネルマップ４０に未登録である「５５−２」及び「５５−３」を追加登録することにより、チャンネルマップ４０は、図４に示すチャンネルマップ５０に更新される。
【００４４】
上記のように物理チャンネル「４」が選局された場合は、その時点で表示部２４に表示される番組は「５５−１」チャンネルである。その後直ぐにチャンネルマップ５０に更新されるので、この状態からチャンネルアップキーが操作されると、チャンネルマップ５０にしたがって「５５−２」、「５５−３」、「６０−１」・・・の順に選局される。
【００４５】
このように、通常の選局操作を行っているだけで、チャンネルマップに未登録の新たなチャンネルがあればAuto Add機能によって自動的に登録され、チャンネルアップ／ダウンキーで新たなチャンネルも選局可能になる。したがって、ユーザはチャンネルマップへ登録するための特別な登録操作をする必要がなく、またチャンネルマップへの登録を意識することもないので、非常に使い勝手が良い。
【００４６】
次に、チャンネルマップには登録されているが受信したＶＣＴには含まれていない仮想チャンネル番号があった場合は、そのままにしておいてもよいし、チャンネルマップから該当の仮想チャンネル番号を削除してもよい。例えば、現在、図３のチャンネルマップ４０を有しており、受信したＶＣＴに含まれている仮想チャンネル番号が「５５−２」「５５−３」である場合が考えられる。
【００４７】
このとき、そのままにしておく製品仕様であれば、「５５−１」はそのまま残されるので、チャンネルマップ４０は図４のチャンネルマップ５０のように更新される。この仕様によれば、一度でも受信可能になった仮想チャンネル番号は保持され、チャンネルアップ／ダウンキー１１ａでいつでも選局可能である。但し、選局したチャンネルによっては現在放送されていない場合もある。
【００４８】
一方、削除する製品仕様であれば、「５５−１」は削除されるので、チャンネルマップ４０は図５のチャンネルマップ６０のように更新される。この仕様によれば、現在放送中でない仮想チャンネル番号がチャンネルマップから削除されるので、チャンネルアップ／ダウンキー１１ａで選局した場合に、現在放送されていないチャンネルを選局することがない。
【００４９】
なお、上記の実施形態においては、デジタル放送受信装置１０にスピーカ２１及び表示部２４を内蔵するデジタルテレビ等について説明したが、本発明は、スピーカ２１及び表示部２４を有さないチューナ装置であるセットトップボックス（ＳＴＢ）やビデオ装置にも適用できる。
【００５０】
なお、本発明のデジタル放送受信装置は、ＡＴＳＣ規格に適用されるだけでなく、ＶＣＴのような仮想チャンネル番号が含まれた情報が配信されている規格であれば、他の規格にも適用することができる。
【産業上の利用可能性】
【００５１】
本発明のデジタル放送受信装置は、液晶テレビなどのテレビ受像機をはじめ、チューナ装置であるＳＴＢ、ビデオ装置であるビデオカセットレコーダやＤＶＤレコーダやハードディスクレコーダ、それらの複合機、デジタル放送受信機能付き携帯電話機などに利用することができる。
【図面の簡単な説明】
【００５２】
【図１】本発明のデジタル放送受信装置の構成を示すブロック図である。
【図２】本発明のAuto Add機能に関するデジタル放送受信装置の動作を示すフローチャートである。
【図３】本発明のチャンネルマップの一例である。
【図４】本発明のチャンネルマップの一例である。
【図５】本発明のチャンネルマップの一例である。
【図６】ＶＣＴの一例である。
【符号の説明】
【００５３】
１０    デジタル放送受信装置
１１    操作部
１１ａ    チャンネルアップ／ダウンキー
１８    ＥＥＰＲＯＭ（記憶部）
２１    スピーカ
２４    表示部
２５    ＭＰＵ（制御部）
２５ａ    比較部
２５ｂ    登録制御部
４０、５０、６０    チャンネルマップ
【図１】
0004450022.tif 000002
【図２】
0004450022.tif 000003
【図３】
0004450022.tif 000004
【図４】
0004450022.tif 000005
【図５】
0004450022.tif 000006
【図６】
0004450022.tif 000007